(57)【要約】【課題】  換気框の框本体にフィルタを容易に取り付けることができるようにする。【解決手段】  框本体１の室内に臨む面に面ファスナ５を取り付ける。面ファスナ５は、柔軟な薄い膜体からなる基部（図示せず）と、この基部の室内側を向く面に固定された、きのこ形又はフック形等をした弾性を有する係止片（図示せず）とによって構成する。フィルタ（図示せず）は、面ファスナ５の係止片に係脱可能に係合することができる構造とする。そして、フィルタを框本体１に面ファスナ５を介して着脱可能に取り付ける。【選択図】図３
2005264425.tif 000002
【特許請求の範囲】
【請求項１】
室内に臨む面に開口する換気口を有する装置本体と、この装置本体に着脱可能に取り付けられ、上記換気口を遮蔽するフィルタとを備えた換気装置において、
上記装置本体に、きのこ形、フック形等の弾性を有する多数の係止片が設けられた面ファスナを設け、
上記フィルタの少なくとも上記面ファスナに取り付けられる部分を、上記係止片に係脱可能な構造とし、
上記フィルタを上記装置本体に上記面ファスナを介して着脱可能に取り付けたことを特徴とする換気装置のフィルタ取付構造。
【請求項２】
室内に臨む面に開口する換気口を有する装置本体と、この装置本体に着脱可能に取り付けられ、上記換気口と連通した換気孔が形成されたフィルタ支持部材と、このフィルタ支持部材に設けられ、上記換気孔を遮蔽することによって上記換気口を遮蔽するフィルタとを備えた換気装置において、
上記装置本体に一対の面ファスナの一方を設け、上記フィルタ支持部材に上記一対の面ファスナの他方を設け、上記フィルタ支持部材を上記装置本体に上記一対の面ファスナを介して着脱可能に取り付けたことを特徴とする換気框のフィルタ取付構造。
【発明の詳細な説明】
【技術分野】
【０００１】
この発明は、室内に流入する空気に含まれる塵埃等を除去するフィルタを、装置本体に容易に取り付けることができるようにした換気装置のフィルタ取付構造に関する。
【背景技術】
【０００２】
従来、換気装置の一つとして換気框がある。この換気框においては、框本体（装置本体）に多数の換気口が設けられている。各換気口は、框本体の室内に臨む表面に開口しており、当該開口部は框本体に設けられたフィルタによって覆われている。そして、換気口から室内に流入する空気を清浄にするために、当該空気に含まれる塵埃等をフィルタで除去するようになっている。
【０００３】
換気框のフィルタは、目詰まりによる換気効率の低下を未然に防止するために、比較的短い間隔で交換ないしは清掃する必要がある。そこで、フィルタは、框本体に容易に着脱し得るように取り付けることが要望される。
【０００４】
このような要望に応えるために、下記特許文献１に記載のものにおいては、框本体の室内に臨む表面に取付部材を設ける一方、フィルタが着脱可能に取り付けられたフィルタ支持部材の框本体と対向する背面に切欠き部を形成している。そして、取付部材を切欠き部に係脱可能に係合させることにより、フィルタ支持部材を框本体に着脱可能に取り付け、それによってフィルタを框本体に着脱可能に取り付けるようにしている。
【０００５】
【特許文献１】特開平１１−２２３０７７号公報
【発明の開示】
【発明が解決しようとする課題】
【０００６】
上記特許文献１に記載の取付構造においては、取付部材及び切欠き部の形状寸法を正確に一致させないと、框本体に取り付けられたフィルタ支持部材がガタついてしまう。また、取付部材及び切欠き部は通常複数形成されるが、それらの間隔を正確に一致させないと、各取付部を各切欠き部に係合させることができなくなってしまう。そこで、取付部材及び切欠き部については、形状、寸法精度を高精度にする必要があり、そのため製造費が嵩むという問題があった。また、切欠き部の取付部材に対する位置合わせが難しく、フィルタ支持部材の框本体への取付が比較的困難であるという問題があった。
【課題を解決するための手段】
【０００７】
この発明は、上記の問題を解決するためになされたもので、この発明の第１の態様は、室内に臨む面に開口する換気口を有する装置本体と、この装置本体に着脱可能に取り付けられ、上記換気口を遮蔽するフィルタとを備えた換気装置において、上記装置本体に、きのこ形、フック形等の弾性を有する多数の係止片が設けられた面ファスナを設け、上記フィルタの少なくとも上記面ファスナに取り付けられる部分を、上記係止片に係脱可能な構造とし、上記フィルタを上記装置本体に上記面ファスナを介して着脱可能に取り付けたことを特徴としている。
また、この発明の第２の態様は、室内に臨む面に開口する換気口を有する装置本体と、この装置本体に着脱可能に取り付けられ、上記換気口と連通した換気孔が形成されたフィルタ支持部材と、このフィルタ支持部材に設けられ、上記換気孔を遮蔽することによって上記換気口を遮蔽するフィルタとを備えた換気装置において、上記装置本体に一対の面ファスナの一方を設け、上記フィルタ支持部材に上記一対の面ファスナの他方を設け、上記フィルタ支持部材を上記装置本体に上記一対の面ファスナを介して着脱可能に取り付けたことを特徴としている。
【発明の効果】
【０００８】
上記特徴構成を有する第１の態様に係る発明によれば、フィルタを装置本体に取り付ける場合には、フィルタを面ファスナに押し付けるだけでよい。しかも、フィルタは取り付けるに際しては正確な位置合わせが要求されることがない。したがって、フィルタを装置本体に容易に取り付けることができる。
また、第２の態様に係る発明によれば、フィルタを装置本体に取り付けるに際しては、フィルタが予め取り付けられたフィルタ支持部材を装置本体に取り付ければよい。この場合、フィルタ支持部材は、それに設けられた面ファスナを装置本体に設けられた面ファスナに押し付けるだけでよく、正確な位置調整を必要としない。したがって、フィルタ支持部材を装置本体に容易に取り付けることができ、ひいてはフィルタを装置本体に容易に取り付けることができる。
【発明を実施するための最良の形態】
【０００９】
以下、この発明を実施するための最良の形態を、図面を参照して説明する。
図１〜図５は、第１の態様に係る発明を換気框（換気装置）Ａに適用した一実施の形態を示す。この実施の形態の換気框Ａは、図１及び図２に示すように、框本体（装置本体）１を有している。框本体１は、アルミニウム等の金属からなる一対の半体１Ａ，１Ｂを組み合わせて一体化することにより、断面略四角形の筒状に形成されている。框本体１の両端開口部は、硬質の樹脂からなる端板２，２によって閉じられている。框本体１は、その長手方向を左右方向に向けて水平に配置されており、その上部がサッシ戸等の上框（図示せず）に嵌め込まれるとともに、その下部にサッシ戸等のガラス板の上端部が嵌め込まれることにより、サッシ戸等の上端開口部に取り付けられている。
【００１０】
図２に示すように、框本体１は、室外Ｏに臨む外板部１１、室内Ｉに臨む内板部１２、外板部１１と内板部１２との上端部間と下端部間にそれぞれ設けられた上板部１３及び下板部１４、並びに上下の板部１３，１４の室内外方向における中間部に配置され、框本体１の内部空間を室外Ｏ側と室内Ｉ側とに二分する隔壁部１５を有している。外板部１１の下端部には、外板部１１を貫通する多数の外側換気口（換気口）１１ａが形成されている。外側換気口１１ａは、上下に細長い長方形状に形成されており、框本体１の長手方向に一列に並んで配置されている。内板部１２の上下方向における略中央部には、多数の内側換気口（換気口）１２ａが形成されている。内側換気口１２ａは、内板部１２を貫通している。したがって、内側換気口１２ａは、内板部１２の室内Ｉに臨む面に開口している。内側換気口１２ａは、上下に細長い長方形状に形成されており、框本体１の長手方向に一列に並んで配置されている。隔壁部１５の上下方向における中央部には、隔壁部１５を貫通する多数の中側換気口（換気口）１５ａが形成されている。中側換気口１５ａは、上下に細長い長方形状に形成されており、框本体１の長手方向に一列に並んで配置されている。室外Ｏと室内Ｉとは、各換気口１１ａ，１２ａ，１５ａ及び框本体１の内部空間を介して連通し、それによって室内Ｉの換気が行われるようになっている。
【００１１】
框本体１の内部空間には、開閉板３が設けられている。開閉板３は、隔壁部１５に対し室外Ｏ側に隣接するように配置されている。開閉板３の上端部は、上板部１３の下面部に框本体１の長手方向と平行に延びる軸線を中心として回動可能に支持されている。開閉板３は、図２において実線で示す閉位置と想像線で示す開位置との間を回動可能になっている。開閉板３が閉位置に位置すると、中側換気口１５ａが開閉板３によって閉じられ、ひいては室外Ｏと室内Ｉとの間が開閉板３によって遮断される。開閉板３が開位置に位置すると、中側換気口１５ａが開かれる。この結果、室外Ｏと室内Ｉとが換気口１１ａ，１５ａ，１２ａを介して連通する。
【００１２】
開閉板３の開閉操作は、框本体１の内板部１２に框本体１の長手方向へスライド可能に設けられた操作部材４によって行われるようになっており、操作部材４を図１に示す閉位置に移動させると、それに連動して開閉板３が閉位置に回動する。その一方、操作部材４を図１に示す位置から図１の右方へ開位置まで移動させると、それに連動して開閉板３が開位置に回動する。開閉板３と操作部材４との連動機構は、周知のものと同様であるのでその説明は省略する。
【００１３】
図１〜図３に示すように、内板部１２の室内Ｉに臨む面には、二つの面ファスナ５が設けられている。この面ファスナ５は、周知の一対の面ファスナのうちのいわゆる雄面ファスナと同様な構造を有しており、布、樹脂フィルム、その他の柔軟な薄い膜体からなる基部（図示せず）と、この基部の一方の面に固定された、きのこ形又はフック形等をした弾性を有する多数の係止片（図示せず）とによって構成されている。そして、面ファスナ５は、内側換気口１２ａの並び方向（図３において左右方向）の延長上に位置するように、内板部１２の両端部に配置されている。そして、基部の他方の面が内板部１２の室内Ｉに臨む面に接着等の固定手段によって固定されている。したがって、面ファスナ５の係止片は、室内Ｉ側に向かって突出している。面ファスナ５は、内板部１２の両端部のみならず、中間部にも１又は複数設けてもよい。
【００１４】
内板部１２の室内Ｉに臨む面には、薄い板状をなすフィルタ６の両端部が面ファスナ５を介して着脱可能に取り付けられている。フィルタ６は、花粉、埃、その他各種の塵埃が室外Ｏから内側換気口１２ａを通って室内Ｉに侵入するのを阻止するための機能を有しており、全ての内側換気口１２ａを覆い、それによって内側換気口１２ａを遮蔽するように配置されている。しかも、フィルタ６は、框本体１に面ファスナ５を介して着脱可能に取り付けることができるようにするために、少なくとも面ファスナ５に取り付けられるべき表面部が面ファスナ５の係止片と係脱可能に係合し得る構造を有している。そのような機能及び構造を有するフィルタ６は、不織布、織布、織網等によって構成することができる。この実施の形態では、フィルタ６が化学合成繊維等の不織布で構成されている。
【００１５】
内板部１２の室内Ｉに臨む面には、フィルタ押え７が着脱可能に設けられている。フィルタ押え７は、框本体１の長手方向における長さがフィルタ６とほぼ同一で、上下方向の幅がフィルタ６より広くなっている。そして、上側部が内板部１２の室内Ｉに臨む面に形成された上係合溝１２ｂに挿脱可能に挿入されるとともに、下側部が内板部１２の室内Ｉに臨む面に形成された下係合溝１２ｃに挿脱可能に挿入されることにより、框本体１に着脱可能に取り付けられている。フィルタ押え７は、框本体１に取り付けられた状態では、フィルタ６全体を覆うとともに、フィルタ６を内板部１２の室内Ｉに臨む面及び面ファスナ５に押し付け、フィルタ６が框本体１から室内Ｉ側に脱落するのを防止している。フィルタ押え７には、これを貫通する多数の換気孔７１が形成されている。換気孔７１は、上下に長い長方形状をなしており、框本体１の長手方向に一列に並んで配置されている。換気孔７１は、換気口１２ａとフィルタ６を介して連通している。したがって、室外Ｏから換気口１２ａを通りフィルタ６によって浄化された空気は、換気孔７１を通って室内Ｉに入り込む。
【００１６】
なお、フィルタ押え７は、その上側部を上係合溝１２ｂに挿入した後、フィルタ押え７全体を下方へ移動させてその下側部を下係合溝１２ｃに挿入することによって框本体１に取り付けることができ、逆の手順で框本体１から取り外すことができる。
【００１７】
上記構成の換気框Ａによれば、フィルタ６を框本体１に取り付ける場合には、フィルタ６を面ファスナ５に押し付けるだけでよい。したがって、フィルタ６を框本体１に容易に取り付けることができる。しかも、フィルタ６を面ファスナ５に押し付ける際には、それほど正確に位置合わせをする必要がない。したがって、フィルタ６を框本体１により一層容易に取り付けることができる。
【００１８】
図６〜図１１は、この発明の第２の態様を換気框（換気装置）Ｂに適用した一実施の形態を示す。この実施の形態の換気框Ｂにおいては、フィルタ６に代わるフィルタ６′が框本体（装置本体）１にフィルタ支持部材８を介して着脱可能に取り付けられ、フィルタ支持部材８が一対の面ファスナ９Ａ，９Ｂを介して框本体１に取り付けられている。これらの点が上記換気框Ａと相違しており、その他の構成は換気框Ａと同様に構成されている。そこで、換気框Ｂについては、換気框Ａと異なる構成についてのみ説明することとし、同様な構成部分には、同一符号を付してその説明を省略する。
【００１９】
換気框Ｂにおいては、雌雄一対の面ファスナ９Ａ，９Ｂが用いられている。面ファスナ９Ａ，９Ｂは、周知の構造のものであるのでその構造についての詳細な説明は省略する。面ファスナ９Ａ．９Ｂは、框本体１にフィルタ支持部材８を着脱可能に取り付けるためのものであり、一対の面ファスナ９Ａ，９Ｂのいずれか一方の面ファスナ９Ａが内板部１２の室内Ｉに臨む面に取り付けられている。面ファスナ９Ａは、図８に示すように、内換気口１２ａの並び方向の延長上、及び中間部に位置するよう、内板部１２の両端部及び中間部にそれぞれ配置されている。したがって、この実施の形態では面ファスナ９Ａが３個用いられている。面ファスナ９Ａは、２個又は４個以上用いてもよい。各面ファスナ９Ａは、接着等の固定手段によって内板部１２に固定されている。
【００２０】
フィルタ支持部材８は、板状に形成されている。框本体１の長手方向におけるフィルタ支持部材８の長さは、内板部１２の両端部に配置された面ファスナ９Ａ，９Ａの外法寸法とほぼ同一の長さに設定されており、上下方向における幅は、内側換気口１２ａの上下方向の長さより広く設定されている。フィルタ支持部材８の上下方向の中央部には、フィルタ支持部材８を貫通する換気孔８１が形成されている。この換気孔８１は、換気口１２ａに連通しており、室外Ｏ側から換気口１２ａを通った空気は、全て換気孔８１を通って室内Ｉに流入するようになっている。フィルタ支持部材８は、図７に示すように、その上下方向の中間部が室内Ｉ側に向かって突出させられることにより、内板部１２と対向する背面部に装着凹部８２が形成されている。
【００２１】
フィルタ支持部材８の背面部の両端部及び中間部には、固定板１０がそれぞれ取り付けられている。各固定板１０には、面ファスナ９Ａと対をなす面ファスナ９Ｂがそれぞれ接着等の固定手段によって固定されている。そして、各面ファスナ９Ｂを面ファスナ９Ａに押し付けて係合させることにより、フィルタ支持部材８が框本体１に着脱可能に取り付けられている。なお、フィルタ支持部材８が面ファスナ９Ａ，９Ｂを介して框本体１に取り付けられているので、この框本体１には、上下の係合溝１２ｂ，１２ｃが設けられていない。フィルタ支持部材８が框本体１に取り付けられた状態では、フィルタ支持部材８が各面ファスナ９Ａ及び全ての内側換気口１２ａを覆っており、換気孔８１が開口する背面部の上下方向における中間部が内側換気口１２ａと対向している。したがって、装着凹部８２も内側換気口１２ａと対向している。
【００２２】
フィルタ支持部材８の装着凹部８２は、三つの固定板１０によって左右に二分されており、二分された各装着凹部８２には、フィルタ６′が着脱可能に取付られている。フィルタ６′は、換気口８１を遮蔽している。しかも、フィルタ６′は、フィルタ支持部材８が框本体１に取り付けられた状態では、内側換気口１２ａを遮蔽しており、内側換気口１２ａを通った外気から塵埃を除去して浄化する。浄化された清浄な外気は、換気孔８１を通って室内Ｉに流入する。フィルタ６′は、フィルタ支持部材８を介して框本体１に取り付けられるので、面ファスナ９Ａに着脱可能に取り付けることができるような構造を有している必要はない。よって、フィルタ６′としては、従来の換気框に用いられている周知のフィルタを用いることができる。
【００２３】
上記構成の換気框Ｂによれば、フィルタ支持部材８に設けられた各面ファスナ９Ｂを框本体１に設けられた各面ファスナ９Ａにそれぞれ押し付けて係合させるだけで、フィルタ支持部材８を框本体１に取り付けることができ、フィルタ支持部材８を框本体１に取り付けることがそのままフィルタ６′を框本体１に取り付けることになる。したがって、フィルタ６′を框本体１に容易に取り付けることができる。しかも、各面ファスナ９Ｂを面ファスナ９Ａに押し付けるに際しては、それほど高精度に位置合わせすることが要求されない。したがって、フィルタ支持部材８を框本体１により一層容易に取り付けることができ、ひいてはフィルタ６′を框本体１により一層容易に取り付けることができる。
【００２４】
図１２は、第１の態様に係る発明の第２実施の形態を示す。この実施の形態は、第１の態様に係る発明をレジスター（換気装置）Ｃに適用したものである。このレジスターＣは、レジスタ本体（装置本体）１０１を有している。このレジスター本体１０１は、断面四角形の筒状をなす挿入部１０２と、この挿入部１０２の外周面の一端部に一体に設けられた環状のフランジ部１０３とを有している。挿入部１０２の内部が換気口１０４とされており、この換気口１０４の内周面には周方向に沿って環状に延びる突条の形態をなす取付部１０５が形成されている。
【００２５】
このように構成されたレジスター本体１０１は、その挿入部１０２が家屋の側壁Ｗを水平に貫通する通気孔Ｗａに挿入されるとともに、フランジ部１０３が側壁Ｗの室内Ｉに臨む壁面のうち通気孔Ｗａ近傍部分に突き当てられており、フランジ部１０３が側壁Ｗに木ねじ等の固定手段（図示せず）によって固定されている。換気口１０４の室内Ｉ側の端部には、前面パネル１１０が着脱可能に取り付けられている。前面パネル１１０には、多数の換気孔１１１が形成されている。各換気孔１１１は、換気口１０４と連通している。なお、側壁Ｗの換気口１０４が開口する壁面には、雨よけフード１２０が設けられている。
【００２６】
上記取付部１０５の室内Ｉ側を向く面には、フィルタ１３０が面ファスナ１４０を介して着脱可能に取り付けられている。面ファスナ１４０は、上記面ファスナ５と同様に、基部とこの基部の一方の面に設けられた多数の係止片とからなるものであり、基部は取付部１０５に沿って延びるよう、環状に形成されている。そして、面ファスナ１４０は、係止片を室内Ｉ側に向けた状態で基部が取付部１０５の室内Ｉ側を向く面に接着剤等によって固定されている。フィルタ１３０は、上記フィルタ６と同様に、少なくとも面ファスナ１４０に取り付けられる部分、つまり面ファスナ１４０と対向する一方の面の外周部が面ファスナ１４０の係止片と係脱可能に係合することができるような構造を有している。したがって、フィルタ１３０は、取付部１０５に面ファスナ１４０を介して容易に着脱することができる。フィルタ１３０を取付部１０５に取り付けた状態では、換気口１０４がフィルタ１３０によって遮蔽される。したがって、室外Ｏから換気口１０４を通って室内Ｉに流入する空気は、フィルタ１３０によって浄化される。なお、フィルタ１３０の着脱に際しては、前面パネル１１０をレジスター本体１０１から予め取り外しておく。
【００２７】
図１３は、第２の態様に係る発明の第２実施の形態を示す。この実施の形態は、第２の態様に係る発明をレジスター（換気装置）Ｄに適用したものである。このレジスターＤにおいては、フィルタ１３０′が前面パネル（フィルタ支持部材）１１０′を介してレジスター本体（装置本体）１０１に着脱可能に取り付けられている。すなわち、レジスター本体１０１の取付部１０５の室内Ｉ側を向く面には、取付部１０５に沿って環状に延びる面ファスナ１５１の基部が、係止片を室内Ｉ側に向けた状態で接着等の固定手段によって固定されている。前面パネル１１０′の取付部１０５と対向する端面の外周部には、面ファスナ１５１と対をなす面ファスナ１５２が取り付けられている。そして、前面パネル１１０′は、それに設けられた面ファスナ１５２を取付部１０５に設けられた面ファスナ１５１に係合させることにより、取付部１０５に着脱可能に取り付けられている。前面パネル１１０′が取付部１０５に取り付けられた状態においては、前面パネル１１０′の外周が換気口１０４の開口部にほとんど隙間無く嵌合している。したがって、換気口１０４を通った外気は、換気孔１１１を通って室内Ｉに流入する。
【００２８】
前面パネル１１０′の内部には、フィルタ１３０′が着脱可能に設けられている。このフィルタ１３０′は、上記フィルタ６′と同様に従来のフィルタをそのまま使用することができる。フィルタ１３０′は、換気孔１１１を遮蔽している。しかも、前面パネル１１０′が取付部１０５に取り付けられた状態では、換気口１０４を遮蔽している。したがって、換気口１０４を通って室内Ｉに流入する外気は、フィルタ１３０′によって浄化される。その他の構成は、上記レジスターＣと同様である。
【図面の簡単な説明】
【００２９】
【図１】第１の態様に係る発明の第１実施の形態を示す正面図である。
【図２】図１のＸ−Ｘ線に沿う拡大断面図である。
【図３】同実施の形態を、フィルタ及びフィルタ押さえを省略した状態で示す正面図である。
【図４】同実施の形態において用いられているフィルタ押さえを示す正面図である。
【図５】図４のＸ−Ｘ線に沿う拡大断面図である。
【図６】第２の態様に係る発明の第１実施の形態を示す正面図である。
【図７】図６のＸ−Ｘ線に沿う拡大断面図である。
【図８】同実施の形態を、フィルタが取り付けられたフィルタ支持部材を省略した状態で示す正面図である。
【図９】同実施の形態において用いられているフィルタ支持部材をフィルタが取り付けられた上体で示す図であって、図９（Ａ）はその正面図、図９（Ｂ）はそのＢ矢視図、図９（Ｃ）はその背面図である。
【図１０】図９（Ａ）のＸ−Ｘ線に沿う拡大断面図である。
【図１１】図９（Ａ）のＹ−Ｙ線に沿う拡大断面図である。
【図１２】第１の態様に係る発明の第２実施の形態を示す断面図である。
【図１３】第２の態様に係る発明の第２実施の形態を示す断面図である。
【符号の説明】
【００３０】
Ａ  換気框（換気装置）
Ｂ  換気框（換気装置）
Ｃ  レジスター（換気装置）
Ｄ  レジスター（換気装置）
１  框本体（装置本体）
５  面ファスナ
６  フィルタ
６′  フィルタ
８  フィルタ支持部材
９Ａ  面フィルタ
９Ｂ  面フィルタ
１１ａ  外側換気口（換気口）
１２ａ  内側換気口（換気口）
１５ａ  中側換気口（換気口）
８１  換気孔
１０１  レジスター本体（装置本体）
１０４  換気口
１１０′  前面パネル（フィルタ支持部材）
１１１  換気孔
１３０  フィルタ
１３０′  フィルタ
１４０  面ファスナ
１５１  面ファスナ
１５２  面ファスナ
【図１】
2005264425.tif 000003
【図２】
2005264425.tif 000004
【図３】
2005264425.tif 000005
【図４】
2005264425.tif 000006
【図５】
2005264425.tif 000007
【図６】
2005264425.tif 000008
【図７】
2005264425.tif 000009
【図８】
2005264425.tif 000010
【図９】
2005264425.tif 000011
【図１０】
2005264425.tif 000012
【図１１】
2005264425.tif 000013
【図１２】
2005264425.tif 000014
【図１３】
2005264425.tif 000015